(57)【要約】      （修正有）【課題】丈が短くて着用出来なかった着物を有効活用して、既存のひとつなぎの着物と同じ外観で着られる着物に作り変え、作り変えた後も着用する人の体形によって衿合わせや丈などの調整が容易にできる着物を提供する。【解決手段】上衣４及び下衣３に分離した着物の下衣に付けた補助布と、上衣に付けた足し布と、擬似長襦袢衿によって課題を解決する。【選択図】図１
0003233405.tif 000002
【実用新案登録請求の範囲】
【請求項１】
上衣及び下衣に分離した着物の下衣であって、裏地側上方に、左右方向に延びる補助布を備え、分離していない着物のおはしょりと同じ外観にする機能を備えた、着物の下衣。
【請求項２】
上衣及び下衣に分離した着物の下衣であって、裏地側上方に、左右方向に延びる補助布を備え、おはしょりと下衣全体を、着る人の体形に合わせる調節機能を備えた着物の下衣。
【請求項３】
上衣及び下衣に分離した着物の上衣であって、着衣時に帯で隠れる位置に別布を足し、着る人によって着物の衿あわせを深くしたり浅くしたりといった、サイズ調節機能を備えた上衣。
【請求項４】
請求項３の上衣の下に長襦袢を着用しているように見せるための、擬似長襦袢衿で、着る人によって衿合わせを深くしたり浅くしたりといった、サイズ調節機能を備えた擬似長襦袢衿。
【考案の詳細な説明】
【技術分野】
【０００１】本考案は、上下二つに分けた着物に関する。
【背景技術】
【０００２】着物を着る際には、着付けの技能が必要である。着付けの技能が不十分であるために、見栄えよく着付ける事ができなかったり、着ている最中に着崩れが起きたりするケースがよく見られる。【０００３】中古着物として売られているものは、サイズが小さい物が多く、気に入っても着用することができない。【０００４】着易さを優先して上下に分けた着物はあるが、着用した時にひとつなぎの着物を華麗に着た時と同じように見えるもので、衿合わせやおはしょりや裾の長さを微細に調整することができるものがない。【０００５】特許文献１に記載の上衣は長襦袢の衿が着物上衣本体に付いているが、長襦袢衿に面ファスナーが付いていると左右の衿の交点が一箇所だけになり、衿あわせを深くしたり浅くするなどといった着用する人の体形や好みに合わせて調整する事が難しい。【０００６】特許文献２には、上衣と下衣に分離されたセパレート着物について記載があるが、おはしょりは下衣の本体布地に縫着されている。それでは違う身長の人が同じ下衣を着用することができない。
【先行技術文献】
【特許文献】
【０００７】
【特許文献１】実用新案登録第３２１０４４６号
【特許文献２】実用新案登録第３２２７１１７号
【考案の概要】
【考案が解決しようとする課題】
【０００８】着付けの技能なしに着物を着る事ができ、かつ既存のひとつなぎの着物と同様の外観とすることができる着物を提供することを課題とする。【０００９】着付けの技能が不十分であっても、着崩れしない着物を提供することを課題とする。【００１０】既存の着物の身丈が短く着用できない場合に、着用できる着物に変更可能な手段を提供することを課題とする。【００１１】ひとつなぎの着物を上衣と下衣に分離した後でも、様々な体形の人が着用できる事を課題とする。例えば上衣は衿合わせを深くしたり浅くしたり衣紋を大きく抜いたり小さく抜いたりといった、様々な形の衿に容易に調整できる機能を有し、下衣は全体の長さを長くしたり短くしたり、身幅を大きくしたり小さくしたりといった様々な体形に容易に調整できる機能を有することである。
【課題を解決するための手段】
【００１２】着物を上衣と下衣に分離し、上衣の着物の袖の内側に長襦袢を着ているように見せるために長襦袢の袖を縫い付ける。これはひとつなぎの着物を着た時と同様の外観にする事を解決する手段の一つである。【００１３】着物を上衣と下衣に分離し、上衣に長襦袢の擬似衿を付ける。これはひとつなぎの着物を着た時と同様の外観にする事を解決する手段の一つである。その擬似衿には胸の辺りまで布が取付けられており、その布の部分に取付けた面ファスナーを床面に対してわずかに傾斜して取り付ける。これによって、衿の合わせを深くしたり浅くしたりしても、衣紋を大きく抜いても浅く抜いても、左右に取付けられた布の面ファスナーが必ず交差し合わせ留めることができ、いかなる衿の形にも調整できるようになる。これによって衿合わせを容易に調整できる機能を有する事を解決する。またその布があることによって右の胸と左の胸の間のくぼみを平らにし、鎖骨からバスとトップ至る体形を補正し、見栄えよく着付ける事と着崩れを防ぐ事を解決する。【００１４】着物を上衣と下衣に分離し、上衣の裾で帯の下に隠れる部分に足し布を取り付ける。これによって、丈の短い着物でも着用可能になる。着用不可能だった身丈の短い着物を、着用可能な着物に変更する手段を提供する解決に至る。【００１５】着物を上衣と下衣に分離した上衣で、帯で隠れる部分に足し布をした上衣の衿の先端で、おくみが縫い付けられていない側の衿端部に面ファスナーを取り付ける。延長線上にある足し布にも渡って面ファスナーを取り付ける。その面ファスナー部分の上方や下方など好みの位置と背面に取り付けたゴム紐の面ファスナーとを合わせる事により、着る人の好みや体形に沿った着物の衿あわせを実現する。これにより、着物の衿合わせの容易に調整できる機能の解決となる。そして衿端部を背面方向に引っ張る力が加わることにより、衿合わせが身体にぴったりと沿い、着崩れを防ぐ。これにより、着崩れしない着物を提供する解決にも至る。【００１６】着物を上衣と下衣に分離し、その下衣の裏側の腰にあたる部分に数枚から成る上下方向に長さの違う補助布を付ける。その布と下衣本体には面ファスナーを横一線状に取付ける。下衣本体の面ファスナーを補助布側面ファスナーと合わせることにより、下衣本体の面ファスナー部分が、補助布側に持ち上げられることになり、おはしょりを形成する。これはひとつなぎの着物を着た時と同様の外観にする事を解決する手段の一つである。数枚の補助布は上下方向に長さが段階的に違うので、下衣本体の面ファスナーを合わせる補助布を変えることにより、着る人に最適な長さのおはしょりを実現し、下衣全体の長さも調整する。ウエスト部分には長さ調節可能具を付けたゴム紐を取り付けるので、身幅の違う人にもぴったり合わせる事ができる。これにより下衣は容易に調整できる機能を有する事の解決に至る。そしてこれにより、ひとつなぎの着物を着ておはしょりを作るよりも必要な着物の長さが短くて済み、着用を諦めていた丈の短い着物を着る事が出来るようになる。着用可能な着物に変更可能な手段を提供する解決に至る。
【考案の効果】
【００１７】着ることを諦めていた丈の短い着物を有効に利用して、着付けの技能なしに、外観が既存の着物と同様の着物を、着崩れせず着続ける事ができる。サイズ調節機能により同じ着物でも様々な体形に合わせて着る事が出来るので、下衣と上衣に分離した後でもその着物を次の世代に引き継ぐ事が出来る。
【図面の簡単な説明】
【００１８】
【図１】既存の着物の切り分けライン
【図２】上衣を正面から見た図
【図３】上衣を後ろから見た図
【図４】長襦袢擬似衿を正面から見た図
【図５】上衣に長襦袢擬似衿を取り付けた図
【図６】下衣を裏生地側から見た図
【図７】下衣を表生地側から見た図
【図８】下衣を横から見た図
【考案を実施するための形態】
【００１９】以下、本考案の好適な実地の形態について、図面を参照し説明する。このサイズ調節可能な下衣及び上衣は、図１のようにひとつなぎの着物１を二分割し、下衣３と上衣４に分けられたものである。着物は着付けた時に、正前にくる裾の長さが足の甲の厚み分短く、背面の裾の長さは床面に近づけると美しいので、より長い後ろ身頃が必要になるため切り分ける線２は正面から見れば（ａ）のように床面と並行になるが、背面から見ると（ｂ）のようになる。
【００２０】図２・３の上衣４には足し布３２を付け足す。この足し布は着付けた時には帯が上から被さるので、見た目にはわからない。また、着物は衣紋を後ろに抜いて着付けるので、衿の延長の部分の足し布の長さを長くする。それにより多くの体形に合わせる事が可能になり、着付けた時に上衣が安定する。
【００２１】図２の上衣４の衿３３の先端で、おくみ３４・３９に接する側ではない端部に約１０ｃｍの長さの面ファスナー３５と３６を備える。延長線上にある足し布３２にも渡り備える。ここに約１０ｃｍという長さを設ける事により、図３のゴム２８の先端に取付けられた面ファスナー２７や２９と合わせる時に、面ファスナー３５や３６の上部分と合わせたり下部分とあわせたりと位置を変える事が出来、より多くの体形にあった衿合わせができる。また面ファスナー３５・３６と面ファスナー２７・２９とを合わせた時に、衿３３のおくみに接する側ではない端部を後ろに引く力が加わる事により、衿全体が身体に密着し安定するので着崩れを防ぐ効果がある。背中にはしわが寄らないよう、テープ部３０は伸縮性のない生地に接着芯を貼った生地を縫い付ける。着付けた時に背中にしわが寄り見苦しい着付けになることを防ぐためである。
【００２２】図４は長襦袢の擬似衿４１であるが、バストトップと鎖骨の間のあたりにあたる部分に面ファスナー４２・４３を取り付けてある。左前身頃にあたる布に付いた面ファスナー４２は正面から見て右上がりに、右前身頃にあたる布に付いた面ファスナー４３は左上がりに取り付ける。それによって、衿の合わせ具合を深くしても浅くしても、衣紋を大きく抜いてもほとんど抜かなくても必ず面ファスナー４２と４３は交差し合わせ留めることが出来る。また、その部分に布がある事により、鎖骨の下あたりからバストトップに至る身体の曲線をなだらかに補正し、美しい着姿を持続させる役割にもなる。
【００２３】上衣４にこの衿４１を縫い付け、袖４４には長襦袢の袖４５を縫い付けて図５のようにする。着用する時は擬似長襦袢衿４１をうちあわせ、ゴム２８の先端に付いた面ファスナー２７をみやつ口３８から身体側に引き込み、面ファスナー３５と合わせる。次にゴム２８の先端に付いた面ファスナー２９と３６をあわせる。着物の衿３３の端部がゴムの影響で背面方向に力が加わる事により、衿全体が安定し、着崩れない。
【００２４】図６は下衣を裏地側から見た図である。このように下衣の裏地側にはウエストゴム部分１１と上前ゴム部分１４に補助布１０を取り付ける。補助布は上下方向に長さが段階的に違う数枚の布で構成されている。下衣本体には図のように面ファスナーＸを横一線状に備える。面ファスナーＸ同士の間隔は１０〜１５ｃｍ程度にする。それぞれの面ファスナーＸの真上にあたる補助布に面ファスナーＡ，Ｂ，Ｃを横一線状に付ける。それぞれの面ファスナーＡ又はＢ又はＣと、その真下にある下衣本体に取付けられた面ファスナーＸとを合わせる事により、おはしょりが出来上がる。横に並んだそれぞれの面ファスナーＸを真上の補助布に取り付けられた面ファスナーＡ，Ｂ，Ｃのいずれかとを合わせる事により面ファスナーＸが取付けられた部分の布がウエストゴム方向に持ちあがり、それが外観からはおはしょりに見えるのである。横から見た図が図８となり、ここでは３枚の補助布を取り付けた場合を示している。面ファスナーＸと面ファスナーＡ又はＢ又はＣのいずれかを合わせる事により２０の位置におはしょりが出来上がる。身長が高い人には（ａ）のように面ファスナーＸとＣをあわせる。身長が中程度の人には（ｂ）のように面ファスナーＸとＢを合わせる。身長が低い人には（ｃ）のように面ファスナーＸとＡを合わせる。このようにすればおはしょりと下衣全体の長さの調節が出来る仕組みとなっている。
【００２５】身巾の調整は図６に示したウエスト部分１１に長さ調節可能具を付けたゴムを入れる事で解決する。先端にはフック状の金具１２が付いていて、それを受ける金具又は布製の輪状の受け口１３に引っ掛けて留める。これによりウエスト部分の調整も可能になり、安定して着用することが可能になり、着崩れを防ぐ。１２と１３を合わせる事により、下衣は下前２４と後ろ身頃２３で安定したスカート状になる。上前ゴム部分１４にも長さ調節可能具を備えたゴムを入れる。上前２２をスカート状になった下前２４の上に重ねるように身体に巻き、面ファスナー１５を面ファスナー１６と合わせる。
【符号の説明】
【００２６】１  既存のひとつなぎの着物
２  切り分け線
３  下衣
４  上衣
１０  補助布
１１  ウエストゴム
１２  フック金具
１３  フック金具１２を受ける金具又は布製の受け口
１４  上前ゴム
１５  面ファスナー
１６  面ファスナー
２２  上前
２３  後ろ身頃
２４  下前
２７  左面ファスナー
２８  ゴム
２９  右面ファスナー
３０  テープ部
３２  足し布
３３  衿
３４  右下前おくみ
３５  右下前面ファスナー
３６  左上前面ファスナー
３７  右下前前身ごろ
３８  みやつ口
３９  左上前おくみ
４０  左上前前身ごろ
４１  長襦袢擬似衿
４２  左上前面ファスナー
４３  右下前面ファスナー
４４  袖
４５  長襦袢袖
Ａ    補助布に取付けられた面ファスナー
Ｂ    補助布に取付けられた面ファスナー
Ｃ    補助布に取付けられた面ファスナー
Ｘ    おはしょりを作るための面ファスナー
【図１】
0003233405.tif 000003
【図２】
0003233405.tif 000004
【図３】
0003233405.tif 000005
【図４】
0003233405.tif 000006
【図５】
0003233405.tif 000007
【図６】
0003233405.tif 000008
【図７】
0003233405.tif 000009
【図８】
0003233405.tif 000010